(57)【特許請求の範囲】
【請求項１】
流路接続の為の一対の接続口が正面側に並列していると共に前記接続口は回動式の被覆板によって開放可能に閉塞される流体コンセントに取外し可能に装着されて前記接続口を保護する保護キャップであって、前記接続口の各々に水密性を有するシール部を介して装着可能な一対のキャップ部と、前記キャップ部を並列状態で前面から一体的に突出させている連結部材とからなる流体コンセント用保護キャップにおいて、
前記連結部材の背面周縁から周壁部を突出させ、完全閉塞状態における前記被覆板の内面の位置は、前記キャップ部を前記接続口の各々に水密状態に装着させた状態における前記周壁部の突出端の位置に略一致するように設定されていることを特徴とする流体コンセント用保護キャップ。
【請求項２】
請求項１に記載の流体コンセント用保護キャップにおいて、前記被覆板を閉塞させたときに前記被覆板の前記内面によって押圧される被押圧部を前記連結部材の前記背面に設け、前記被押圧部が前記内面によって押圧されたとき、前記キャップ部は装着方向に押圧されると共に前記接続口の各々に水密状態に装着されるように設定されていることを特徴とする流体コンセント用保護キャップ。
【請求項３】
請求項２に記載の流体コンセント用保護キャップにおいて、前記連結部材は、前記一対のキャップ部が突出する板状部と、前記板状部の背面周縁から前記キャップ部と反対方向に突出させた周壁部とから構成され、前記被押圧部は前記周壁部の突出端に設けられている流体コンセント用保護キャップ。
【請求項４】
請求項２に記載の流体コンセント用保護キャップにおいて、前記被覆板の閉塞状態における前記内面の、前記接続口に対応する各位置に内方に向かって突出する押圧部が設けられ、前記被押圧部は、前記押圧部に対応する前記連結部材の前記背面の各位置に設けられる流体コンセント用保護キャップ。
【発明の詳細な説明】
【０００１】
【発明の属する技術分野】
この発明は、流体コンセント用保護キャップ、特に、不使用状態にある流体コンセントの接続口を保護する為の流体コンセント用保護キャップに関するものである。
【０００２】
【従来の技術】
図４及び図５に示した流体コンセント（１）は、屋外の加熱機と屋内の放熱機（共に図示せず）との間の流体循環路を途中で着脱自在に接続する為のものであり、屋内の床面（Ｆ）に設置される形式のものである。
【０００３】
この種流体コンセント（１）は、図５に示すように、前記加熱機から延びる一対の流体配管（１６）の先端に設けられるコンセント本体（１０）が、前記床面（Ｆ）に設けられた開口部（Ｆ０）に嵌め込まれて固定されている上方開放のケース体（１７）内に収容されている。前記コンセント本体（１０）には、同図及び図４に示すように、流体循環路接続の為の一対の接続口（１１）（１２）が上方に開放するように並設されており、前記ケース体（１７）の上方開放部は、前記接続口（１１）（１２）を含む所定範囲に対応する位置に開口（１９）が形成された化粧板（１８）によって被覆されている。そして、前記化粧板（１８）の上面を覆うように、前記開口（１９）を含む範囲を開放可能に閉塞する、被覆板（１４）が回動自在に取り付けられている。
【０００４】
この流体コンセント（１）を使用するには、図４に示すように、被覆板（１４）を開放方向に回動させ、化粧板（１８）の開口（１９）内に奥まって位置する接続口（１１）（１２）に、放熱機から延びる室内側流体ホース（図示せず）の先端に設けられた流体プラグのプラグ部（図示せず）を差し込んで接続させる。これにより、前記接続口（１１）（１２）に内蔵されている弁体（１１０）（１２０）及び前記プラグ部に内蔵されている弁体が各々開弁し、流体循環路が接続される。
【０００５】
尚、このコンセント本体（１０）における前記接続口（１１）（１２）間には、前記流体プラグに設けられる係合片を抜け止め状態に係合させるための孔部（１３）が上方に開放するように形成されている。
【０００６】
流体コンセント（１）の不使用時には、前記プラグ部を流体コンセント（１）から引き抜いて取り外す。これにより、前記弁体（１１０）（１２０）は閉弁し、接続口（１１）（１２）から流体が漏れることがない。しかしながら、接続口（１１）（１２）からの不用意な漏れ防止と接続口（１１）（１２）の保護の為に、接続口（１１）（１２）の開放端を含むコンセント本体（１０）の上端部分に、保護キャップ（３）が装着される。
【０００７】
従来のこの種保護キャップ（３）は、接続口（１１）（１２）各々に取外し可能に嵌入する一対のキャップ部（３１）（３２）と、これらキャップ部（３１）（３２）  が並列するように一体的に突設させた小判形の板状体である連結部材（３０）と、この連結部材（３０）のキャップ部（３１）（３２）間に一体的に並設され且つ連結部材（３０）からキャップ部（３１）（３２）の突出方向と同一方向に突出する一対の係合片（３３）（３４）と、前記係合片（３３）（３４）間に一端が装着され且つ板バネ（図示せず）を介して前記係合片（３３）（３４）を近接する方向に揺動させる機能を有するボールチェーン（５）  とから構成されている。
【０００８】
尚、ボールチェーン（５）は、コンセント本体（１０）に装着状態にある保護キャップ（３）を引っ張って強制的に取り外すためのものである。
又、前記キャップ部（３１）（３２）は筒状であり、その外周面には、接続口（１１）（１２）に嵌合したときに接続口（１１）（１２）との間の水密を確保する為のＯリング（３５）が装着されている。
【０００９】
上記した保護キャップ（３）は、不使用時（流体コンセント（１）の使用時）には、図４に示すように、前記被覆板（１４）の裏側に設けられた環状保持部（１５）内に、前記キャップ部（３１）（３２）を嵌め込んで仮止め状態に保管される。
【００１０】
そして、流体コンセント（１）の不使用時において、コンセント本体（１０）に保護キャップ（３）を装着させるには、前記キャップ部（３１）（３２）を、環状保持部（１５）から取り外すと共に、開口（１９）内の接続口（１１）（１２）に、Ｏリング（３５）が収容されるまで押し込む。これと同時に、係合片（３３）（３４）は孔部（１３）の周縁部に係合することとなり、保護キャップ（３）は不使用状態の流体コンセント（１）の接続口（１１）（１２）に水密状態に装着されることとなる。その後、被覆板（１４）で化粧板（１８）の開口（１９）を閉塞すれば良い。
【００１１】
【発明が解決しようとする課題】
上記したような形式の流体コンセント（１）では、図５に示すように、化粧板（１８）は床面（Ｆ）に沿うように配設されていると共に、前記化粧板（１８）に設けた開口（１９）内に、接続口（１１）（１２）が奥まって位置する構成となっているから、この接続口（１１）（１２）内にキャップ部（３１）（３２）を嵌入させると、扁平な板状体である前記連結部材（３０）の背面と、被覆板（１４）の内面との間には、所定の深さの空室（５０）が形成される態様となる。
【００１２】
従って、保護キャップ（３）の装着態様が不完全であって、連結部材（３０）が接続口（１１）（１２）の開放端から前記空室（５０）内に浮き上がった状態でも、このことに気づかずに、被覆板（１４）を閉塞させてしまうことがある。一旦閉塞させた被覆板（１４）は、通常、放熱機の次の使用時期まで開放させることはないから、この状態のまま長期間放置される。よって、万一接続口（１１）（１２）から漏れが生じた場合、コンセント本体（１０）内に水滴を侵入させてしまい、電気回路の接続端子を損傷させてしまうといった問題がある。
【００１３】
本発明は、『流路接続の為の一対の接続口が正面側に並列していると共に前記接続口は回動式の被覆板によって開放可能に閉塞される流体コンセントに取外し可能に装着されて前記接続口を保護する保護キャップであって、前記接続口の各々に水密性を有するシール部を介して装着可能な一対のキャップ部と、前記キャップ部を並列状態で前面から一体的に突出させている連結部材とからなる流体コンセント用保護キャップ』において、保護キャップが流体コンセントの接続口に正しく装着されていない場合、被覆板を完全に閉塞できないようにすることを課題とする。
【００１４】
【課題を解決するための手段】
前述した課題を解決するために講じた発明の解決手段は、『前記連結部材の背面周縁から周壁部を突出させ、完全閉塞状態における前記被覆板の内面の位置は、前記キャップ部を前記接続口の各々に水密状態に装着させた状態における前記周壁部の突出端の位置に略一致するように設定されていること』である。
【００１５】
プラグ部が引き抜かれた後の流体コンセントの接続口に、保護キャップのキャップ部を各々装着させる。前記保護キャップは、前記接続口の各々に水密状態に装着可能な一対のキャップ部と、前記キャップ部を並列状態で一体的に突出させている連結部材とから構成されていると共に、前記連結部材の背面には周壁部が突設されている。そして、前記キャップ部が接続口に確実に装着された状態でのみ、被覆板を完全に閉塞させることができ、このとき、被覆板の内面の位置は、前記連結部材の前記周壁部の突出端の位置に略一致している。言い換えれば、前記キャップ部の接続口への装着状態が不完全な場合では、前記周壁部の突出端が開放部側へ突出する状態となり、被覆板の内面は、前記突出端に当接することとなるため、被覆板は完全閉塞時における所定位置から浮き上がった状態となる。この場合、被覆板を完全に閉塞することができない。
又、保護キャップが正しく装着され、被覆板が完全に閉塞された状態において、前記連結部材の背面と被覆板の内面との間には、周壁部で囲まれた空間部が形成されることとなる。
【００１６】
＜２項＞
前記１項に詳述した発明において、『前記被覆板を閉塞させたときに前記被覆板の前記内面によって押圧される被押圧部を前記連結部材の前記背面に設け、
前記被押圧部が前記内面によって押圧されたとき、前記キャップ部は装着方向に押圧されると共に前記接続口の各々に水密状態に装着されるように設定されている』ものでは、前記キャップ部の接続口への装着状態が不完全であっても、被覆板を強制的に閉塞させることにより、前記被覆板の内面が、保護キャップの連結部材の背面に設けた被押圧部に当接すると共に、キャップ部の装着方向に押圧することとなるから、前記キャップ部は前記接続口に水密状態に確実に装着されることとなる。
【００１７】
＜３項＞
前記２項に詳述した発明において、『前記連結部材は、前記一対のキャップ部が突出する板状部と、前記板状部の背面周縁から前記キャップ部と反対方向に突出させた周壁部とから構成され、前記被押圧部は前記周壁部の突出端に設けられている』ものでは、連結部材の背面は周壁部で囲まれた構成となっており、キャップ部を接続口に装着させた後に、被覆板を閉塞させると、前記被覆板の内面が前記周壁部の突出端に当接し、そのまま前記突出端を被押圧部として前記周壁部を奥へ押圧する。これにより、板状部を介してキャップ部も奥へ押されることとなり、キャップ部は接続口に確実に装着されることとなる。
又、このものでは、被覆板の閉塞時に、前記板状部の背面上の、前記周壁部で囲まれた範囲内に、前記板状部に連結されているボールチェーンを収容させておくことができる。
【００１８】
＜４項＞
上記２項に詳述した発明において、『前記被覆板の閉塞状態における内面の、前記接続口に対応する各位置に内方に向かって突出する押圧部が設け、前記被押圧部は、前記押圧部に対応する前記連結部材の背面の各位置に設けられる』ものでは、押圧部は、前記接続口に対応する各位置に設けられる構成としたから、前記押圧部によって押圧される被押圧部は、連結部材の背面上において、接続口に装着される前記キャップ部のちょうど裏側に位置することとなる。よって、被覆板を閉塞させたとき、押圧部は、前記キャップ部のちょうど裏側をそれぞれ装着方向に押圧する態様となる。
【００１９】
【発明の効果】
以上説明したように、流体コンセントの不使用時に、接続口に保護キャップを装着させると共に被覆板を閉塞させると、保護キャップの装着が不完全な場合では、前記被覆板を完全に閉塞させることができないから、被覆板で閉塞させる際に、保護キャップが正しく装着されていないことを知ることができる。この場合、保護キャップの装着が確実となるように装着し直すことができるから、保護キャップを不完全な装着状態のまま長期間放置させてしまうことがない。よって、不使用時における流体コンセントの接続口からの不用意な漏水を確実に防止することができる。
又、保護キャップが正しく装着され、被覆板が完全に閉塞された状態において、前記連結部材の背面と被覆板の内面との間に形成される、周壁部で囲まれた空間部に、連結部材に連結されているボールチェーンを収容することができるから、流体コンセントの不使用時にボールチェーンが邪魔にならない。
【００２０】
２項のものでは、接続口に保護キャップを装着させると共に被覆板を閉塞させると、前記キャップ部は被覆板の内面によって強制的に奥側へ押されて接続口に確実に装着される態様となるから、キャップ部の接続口に対する装着態様が不完全な場合でも、被覆板を閉塞させることにより確実に装着させることができる。又、その状態は、被覆板を閉塞させている限り維持させることができる。
【００２１】
３項のものでは、上記各効果に加えて、連結部材に連結されているボールチェーンを連結部材に設けた周壁部内に収容しておくことができるから、流体コンセントの不使用時にボールチェーンが邪魔にならないといった効果がある。
【００２２】
４項の発明のものでは、被押圧部をキャップ部の突出位置のちょうど裏側にそれぞれ設けると共にその各々を被覆板の内面に設けた押圧部で押圧させる構成としたから、被覆板を閉塞させることにより、前記キャップ部一つ一つを接続口の各々に確実に対応させて押し込むことができる。よって、キャップ部を一層確実に接続口に装着させることができるといった効果がある。
【００２３】
【発明の実施の形態】
以下、本願発明の実施の形態を、図面に基づいて説明する。
図１は、本願発明の第１番目の実施の形態の流体コンセント用保護キャップを装着させた流体コンセントの断面図であり、図２は、前記保護キャップの斜視図である。
【００２４】
本発明実施の形態の流体コンセント（１）は、流体暖房装置（図示せず）に備えられるものであり、屋外に設置されて流体を加熱する加熱機（図示せず）から延びる流体経路の先端部に装着されると共に、室内側の床面（Ｆ）に取り付けられて固定されるものとする。
【００２５】
上記流体コンセント（１）は、従来のものと同様に、床面（Ｆ）に設けた開口（Ｆ０）に落とし込んで固定されるケース体（１７）内にコンセント本体（１０）が収容された構成であり、前記ケース体（１７）の上方開放部は、化粧板（１８）に回動自在に軸支されている被覆板（１４）によって開放自在に閉塞される構成となっている。
【００２６】
前記被覆板（１４）を開放させた状態にて、前記コンセント本体（１０）の流路接続口（１１）（１２）が並列状態に上方に露出する態様となっており、これら接続口（１１）（１２）の内方には、これら接続口（１１）（１２）内における流路を開閉する為の弁体（１１０）（１２０）が各々内蔵されている。
前記被覆板（１４）を閉塞させた状態にて、接続口（１１）（１２）の開放端は、前記被覆板（１４）の内面（１４ａ）から、奥まった位置にあるように設定されている。
【００２７】
この流体コンセント（１）の不使用時において、接続口（１１）（１２）に装着させる本発明の実施の形態の保護キャップ（２）は、図２に示すように、一対の筒状のキャップ部（２１）（２２）と、これらを並列状態に連結させる連結部材（２０）と、前記連結部材（２０）の中央の、前記キャップ部（２１）（２２）の間に前記キャップ部（２１）（２２）と同方向に突出させている係合片（２３）（２４）と、前記係合片（２３）（２４）の間に板バネ（２６）を介して取付けられているボールチェーン（５）とを備えた構成であり、キャップ部（２１）（２２）の胴部外周には、シール性を確保するためのＯリング（２５）がそれぞれ装着されている。
【００２８】
前記連結部材（２０）は、一定肉厚の小判型の板状体である連結板（２０ａ）と、その周縁全域からキャップ部（２１）（２２）の突出方向と反対方向へ突設させた周壁（２０ｂ）とから、前記キャップ部（２１）（２２）の突出方向と反対方向に開放する容器状に構成されている。
【００２９】
前記周壁（２０ｂ）は連結板（２０ａ）の両端の円弧状部分を含む範囲において高く、対向する両辺に沿った部分においては低く形成されており、前記高く形成されている部分の突出端部（２７）が、被覆板（１４）を閉塞させたときに、その内面（１４ａ）によって内方へ押圧される被押圧部として機能することとなる。
【００３０】
前記キャップ部（２１）（２２）の連結板（２０ａ）からの突出高さは、コンセント本体（１０）の接続口（１１）（１２）内に挿入可能な最深位置に達するまで深く嵌入させることができる高さに設定されており、前記最深位置に達するまでキャップ部（２１）（２２）を挿入させた状態おいて、キャップ部（２１）（２２）の開放端部は弁体（１１０）（１２０）の先端を包囲する態様となる。この挿入状態において、Ｏリング（２５）が接続口（１１）（１２）内の所定位置に水密状態に嵌合すると共に、係合片（２３）（２４）が流体コンセント（１）の孔部（１３）内に抜け止め状態に係合するように、各部の寸法は設定されているものとする。
【００３１】
又、これらキャップ部（２１）（２２）を接続口（１１）（１２）内に水密状態に嵌入させたときに、連結板（２０ａ）の前面は接続口（１１）（１２）の開放端部に当接し、且つ周壁（２０ｂ）の突出端部（２７）は、完全に閉塞させた状態の被覆板（１４）の内面（１４ａ）の水平位置に達すると共に、前記被覆板（１４）の内面（１４ａ）によって内方へ垂直に押圧されるように、前記突出端部（２７）の、連結板（２０ａ）からの突出高さは設定されているものとする。
【００３２】
尚、このキャップ部（２）の前記係合片（２３）（２４）間に、板バネ（２６）及びボールチェーン（５）を装着させる構造は、例えば、特開平１１−２２２８８８号に開示されているような公知の技術が採用可能であり、キャップ部（２１）（２２）を接続口（１１）（１２）内に水密状態に嵌入させると同時に、係合片（２３）（２４）は、上記したように、コンセント本体（１０）の孔部（１３）に係合する構成となっており、この装着状態において、前記ボールチェーン（５）は、連結板（２０ａ）の背面上であって且つ周壁（２０ｂ）で囲まれた範囲内に収容される態様となる。このように、連結部材（２０）を、連結板（２０ａ）の周縁に周壁（２０ｂ）が形成された構成としておくことにより、ボールチェーン（５）は、前記周壁（２０ｂ）の形成範囲内に収容させることができることから、保護キャップ（２）を接続口（１１）（１２）に装着させると共に被覆板（１４）を閉塞させる際に、ボールチェーン（５）が邪魔になることがない。
【００３３】
接続口（１１）（１２）からプラグ部が取り外された後の流体コンセント（１）の不使用時に、接続口（１１）（１２）に保護キャップ（２）のキャップ部（２１）（２２）を挿入すると共に係合片（２３）（２４）を孔部（１３）に係合させるが、これらの挿入又は係合が不完全な場合、連結部材（２０）の周壁（２０ｂ）の開放端が、化粧板（１８）の開放部から上方へ浮き上がった状態となる。
【００３４】
完全に閉塞させた状態における被覆板（１４）の内面（１４ａ）の水平高さは、キャップ部（２１）（２２）が接続口（１１）（１２）内へ正しく嵌入された状態における保護キャップ（２）の背面側の突出端部（２７）の水平高さに略一致するように設定されているから、キャップ部（２１）（２２）の接続口への装着が不完全なため、周壁（２０ｂ）の開放端が化粧板（１８）から上方へ浮き上がった状態となっている場合に、被覆板（１４）を閉塞方向に回動させても、被覆板（１４）を完全に閉塞させることができず、被覆板（１４）は化粧板（１８）から上方へ浮き上がった状態となる。これにより、保護キャップ（２）の装着が不完全であることを知ることができる。この場合、被覆板（１４）を一旦開放させて、保護キャップ（２）を装着し直しても良いが、被覆板（１４）を強制的に閉塞方向に回動させると、周壁（２０ｂ）のうち突出端部（２７）が被覆板（１４）の内面（１４ａ）によって下方へ向かって垂直に下方へ押されることとなり、それに伴って、キャップ部（２１）（２２）が接続口（１１）（１２）内に深く嵌入されていくこととなる。
【００３５】
そして、被覆板（１４）が完全に閉塞された状態において、キャップ部（２１）（２２）は接続口（１１）（１２）に確実に嵌入し且つ係合片（２３）（２４）は孔部（１３）に係合した状態となり、保護キャップ（２）は装着が完了すると共にこの装着状態は維持されることとなる。
【００３６】
この装着状態では、キャップ部（２１）（２２）によって接続口（１１）（１２）が被覆されたものとなり、接続口（１１）（１２）からの不用意な漏水を防止できると共にホコリ等の付着も防止することができる。
【００３７】
接続口（１１）（１２）から保護キャップ（２）を取り外す際には、ボールチェーン（５）  に上方へ引っ張る方向の外力を加える。ボールチェーン（５）は、上記したように、連結板（２０ａ）上の係合片（３３）（３４）間に板バネ（２６）を介して取付けられており、ボールチェーン（５）が引っ張られることにより、係合片（２３）（２４）の各々が接近する方向に撓むように設定されている。よって、ボールチェーン（５）を上方に引っ張ることで、係合片（２３）（２４）の各々の孔部（１３）への係合は容易に解除することができる。この係合の解除によって、係合片（２３）（２４）が孔部（１３）から抜けると共にキャップ部（２１）（２２）が接続口（１１）（１２）から脱出する。これによって、保護キャップ（２）は流体コンセント（１）から取り外される。
【００３８】
又、例えば、接続口（１１）（１２）からの漏水量が大きくなって、接続口（１１）（１２）の内部から水圧が作用した場合でも、保護キャップ（２）の上方開放端部である連結部材（２０）の周壁（２０ｂ）の突出端部（２７）は、閉塞状態にある被覆板（１４）の内面（１４ａ）によって常時下方へ押圧された状態が維持されるから、被覆板（１４）の閉塞状態を維持させることができれば、水圧作用時においても、保護キャップ（２）のコンセント本体（１０）に対する装着状態は維持されて、この保護キャップ（２）による止水が維持される。
【００３９】
［他の実施の形態］
図３に示すものは本発明の第２番目の実施の形態の流体コンセント用保護キャップ（２）を装着させた状態を示す流体コンセント（１）の断面図である。
【００４０】
保護キャップ（２）は、上記した第１番目の実施の形態と同様に、キャップ部（２１）（２２）と連結部材（２０）から構成されていると共に、前記連結部材（２０）は、連結板（２０ａ）と周壁（２０ｂ）とから構成されているものとするが、さらに、この実施の形態のものでは、前記連結板（２０ａ）の背面の、前記接続口（１１）（１２）に対応する各位置に、一対の凸部（２８）（２９）を上方へ突出させる構成とした。他方、閉塞させた状態における被覆板（１４）の内面（１４ａ）の、前記凸部（２８）（２９）に対応する各位置には、一対の押圧部（４ａ）（４ｂ）が下方へ突出するように設けられている。
【００４１】
尚、凸部（２８）（２９）及び押圧部（４ａ）（４ｂ）それぞれの突出高さは、被覆板（１４）を完全に閉塞させたときに、押圧部（４ａ）（４ｂ）が凸部（２８）（２９）を押圧すると共に、前記押圧状態にてキャップ部（２１）（２２）が接続口（１１）（１２）に水密状態に嵌入させることができる高さとなるように各々所定の寸法に設定されているものとする。
【００４２】
このものでは、キャップ部（２１）（２２）を接続口（１１）（１２）にそれぞれ嵌入させた装着状態において、被覆板（１４）を閉塞させると、周壁（２０ｂ）の突出端部（２７）が被覆板（１４）の内面（１４ａ）によって下方へ押圧されると同時に、前記凸部（２８）（２９）が押圧部（４ａ）（４ｂ）によって同様に下方へ押圧されることとなる。すなわち、この実施の形態のものでは、被覆板（１４）が周壁（２０ｂ）の突出端部（２７）を押すことによって、保護キャップ（２）は全体的に装着方向に押圧されると共に、押圧部（４ａ）（４ｂ）が凸部（２８）（２９）をそれぞれ押圧することによって、キャップ部（２１）（２２）が個別に接続口（１１）（１２）に挿入される方向に押圧されることとなるから、被覆板（１４）を閉塞させるだけで、保護キャップ（２）の流体コンセント（１）への装着がより一層確実に行えることとなる。
【００４３】
この実施の形態の場合、前記周壁（２０ｂ）の突出端部（２７）と前記凸部（２８）（２９）の頂面とが、被押圧部として機能することとなる。
尚、連結部材（２０）と、閉塞状態にある被覆板（１４）とで構成される空間内には、凸部（２８）（２９）及び押圧部（４ａ）（４ｂ）が突出する態様となっているが、第１番目の実施の形態の場合と同様に、それらの形成域を除いた空間内にボールチェーン（５）を収容しておくことができる。
【００４４】
又、上記した各実施の形態では、連結部材（２０）に周壁（２０ｂ）を設けると共にその突出端部（２７）を、被覆板（１４）によって押圧される被押圧部として機能させたが、周壁（２０ｂ）を設けずに、その分、キャップ部（２１）（２２）の長さを長くする構成としても良い。この場合、第２番目の実施の形態のように、被覆板（１４）の内面（１４ａ）に押圧部（４ａ）（４ｂ）を突出させておけば、これらが対応する連結部材（２０）の連結板（２０ａ）の背面の所定位置が被押圧部として機能することとなる。
【００４５】
上記の実施の形態では、接続口（１１）（１２）から供給される温水や又は水以外の油などの液体を流体として説明したが、供給されるものは、ガスなどの気体でも良い。液体の場合には、保護キャップ（２）で接続口（１１）（１２）を水密状態に被覆する構成とし、気体の場合には、保護キャップ（２）で接続口（１１）（１２）を気密状態に被覆する構成とする。
【図面の簡単な説明】
【図１】本願発明の第１番目の実施の形態における流体コンセント用保護キャップを装着させた状態を示す流体コンセントの断面図。
【図２】本願発明の第１番目の実施の形態における流体コンセント用保護キャップの斜視図。
【図３】本願発明の第２番目の実施の形態における流体コンセント用保護キャップを装着させた状態を示す流体コンセントの断面図。
【図４】従来の流体コンセントの平面図であって、被覆板を開放させた状態を示す。
【図５】従来の流体コンセント用保護キャップの使用状態を示す断面図。
【符号の説明】
（１）  ・・・・・・流体コンセント
（１１）（１２）・・・・接続口
（１４）・・・・・・被覆板
（１４ａ）  ・・・・・内面
（２）  ・・・・・・保護キャップ
（２０）・・・・・・連結部材
（２１）（２２）・・・・キャップ部
（２５）・・・・・・シール部（Ｏリング）
（２７）（２８）（２９）・・被押圧部（突出端部、凸部）
【図１】
0003605383.tif 000002
【図２】
0003605383.tif 000003
【図３】
0003605383.tif 000004
【図４】
0003605383.tif 000005
【図５】
0003605383.tif 000006